【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
基体と、流体移送チューブと、流体移送を促進する少なくとも一つの特徴とを含む流体の移送を容易にする装置において、
前記基体が、その第１表面からその第２表面まで延在する孔を有し、
前記流体移送チューブが、第１端部と、該第１端部とは反対側の第２端部と、内径を有する内腔とを有し、少なくとも前記第２端部が前記基体の前記孔内に受容されており、
流体移送を促進する前記少なくとも一つの特徴が、前記第２表面に設けた少なくとも第１部分を含み、かつ、前記孔と流体連通している、流体の移送を容易にする装置。
【請求項２】
基体と、針と、流体移送を促進する少なくとも一つの特徴と、検体定量化部材とを含む
流体の移送を容易にする装置において、
前記基体が、その第１表面からその第２表面まで延在する孔を有し、
前記針が、皮膚を穿刺するようにされた第１端部、該第１端部とは反対側の第２端部、および、内径を有する内腔を有し、少なくとも前記第２端部が前記基体の前記孔内に受容されており、
前記流体移送チューブが、第１端部と、該第１端部とは反対側の第２端部と、内径を有する内腔とを有し、少なくとも前記第２端部が前記基体の前記孔内に受容されており、
流体移送を促進する前記少なくとも一つの特徴が、前記第２表面に設けた少なくとも第１部分を含み、かつ、前記孔と流体連通しており、
前記検体定量化部材が、少なくとも一つの前記孔および流体移送を促進する前記少なくとも一つの特徴と流体連通している、流体の移送を容易にする装置。
【請求項３】
（ｉ）前記孔、
（ｉｉ）流体移送を促進する前記少なくとも一つの特徴、および
（ｉｉｉ）前記検体定量化部材を受容する前記第２表面に端ぐり孔のうちの少なくとも一つと流体連通する検体定量化部材を含み、
前記検体定量化部材が、少なくとも一つの前記孔および流体移送を促進する前記少なくとも一つの特徴と直接流体連通している請求項１または請求項２に記載された流体の移送を容易にする装置。
【請求項４】
前記流体移送チューブが針を含み、この針の第１端部が皮膚を穿刺するように構成され、かつ、前記針が、金属で形成され、前記基体が、少なくとも部分的に金属、ポリマー、ガラスまたはセラミックで形成されている請求項１または請求項２に記載された流体の移送を容易にする装置。
【請求項５】
前記内腔の少なくとも一部が流体移送を促進する特徴を含み、該特徴が、被覆と表面テクスチャーのうちの少なくとも一方を含む請求項１または請求項２に記載された流体の移送を容易にする装置。
【請求項６】
前記孔が第１部分を含み、該第１部分が、前記基体の前記第１表面から延び、かつ、前記流体移送チューブの少なくとも前記第２端部を受容する端ぐり部を作っている請求項１または請求項２に記載された流体の移送を容易にする装置。
【請求項７】
前記孔が、前記流体移送チューブの前記第２端部から前記基体の前記第２表面まで延びる第２部分を含む請求項１または請求項２に記載された流体の移送を容易にする装置。
【請求項８】
流体移送を促進する前記少なくとも一つの特徴が、前記孔の前記第２部分に設けた第２部分を更に含む請求項７に記載された流体の移送を容易にする装置。
【請求項９】
前記第２部分が、事実上直線的であり、前記孔の前記第２部分に沿って長手方向に延在している請求項８に記載された流体の移送を容易にする装置。
【請求項１０】
前記第２部分が、前記孔の前記第２部分に事実上螺旋溝状に形成されている請求項８に記載された流体の移送を容易にする装置。
【請求項１１】
前記第２部分が、前記第２表面に向って減少する幅を有する請求項８に記載された流体の移送を容易にする装置。
【請求項１２】
前記第１および第２部分のうちの少なくとも一方が、平坦な底部、曲線状の底部、または、山形の底部を含む幾何学的断面形状を有する請求項８に記載された流体の移送を容易にする装置。
【請求項１３】
前記第１および第２部分のうちの少なくとも一方が、前記流体移送チューブの前記第２端部から離れる方向で減少する横断面積を含む請求項８に記載された流体の移送を容易にする装置。
【請求項１４】
前記第１と第２の部分のうちの少なくとも一方が、流体移送チューブの第２端部から離れる方向へ増大する横断面積を有する溝を含む請求項８に記載された流体の移送を容易にする装置。
【請求項１５】
前記基体の第２表面に設けられた流体移送を促進する複数の特徴を更に含み、前記複数の特徴のうちの少なくとも二つが前記基体の前記第２表面で前記孔と交差する請求項１または請求項２に記載された流体の移送を容易にする装置。
【請求項１６】
複数の前記特徴が、更に、前記基体の前記第２表面に設けた少なくとも一つの溝を含み、この少なくとも一つの溝が溝と交差するが、前記孔とは交差しない請求項１５に記載された流体の移送を容易にする装置。
【請求項１７】
少なくとも一つの特徴が、前記基体の前記第２表面の孔と接線方向に交差する請求項１または請求項２に記載された流体の移送を容易にする装置。
【請求項１８】
少なくとも一つの前記特徴が、前記孔を螺旋溝状に取り巻いている請求項１または請求項２に記載された流体の移送を容易にする装置。
【請求項１９】
更に、前記孔を取り囲み、かつ流体移送を促進する前記少なくとも一つの特徴と流体連通する溝を含む請求項１または請求項２に記載された流体の移送を容易にする装置。
【請求項２０】
更に、前記孔を取り囲む溝内に吸収材料を含む請求項１９に記載された流体の移送を容易にする装置。
【請求項２１】
更に、前記孔を取り囲む溝と流体連通する少なくとも一つの通気溝を含む請求項１９に記載された流体の移送を容易にする装置。
【請求項２２】
前記第１および第２の部分のうちの少なくとも一方が、被覆と表面テクスチャーのうちの少なくとも一方を含む請求項８に記載された流体の移送を容易にする装置。
【請求項２３】
前記孔の第２部分が、被覆と表面テクスチャーのうちの少なくとも一方を含む請求項７に記載された流体の移送を容易にする装置。
【請求項２４】
前記定量化部材が、予め決められた検体と反応するように選択された化学試薬を内包する定量分析パッドを含む請求項２２に記載された流体の移送を容易にする装置。
【請求項２５】
更に、定量化部材を覆うカバーを含み、前記カバーがキャップ形状である請求項２２に記載された流体の移送を容易にする装置。
【請求項２６】
前記カバーが、定量化部材と光学的相互通信可能に構成される請求項２５に記載された流体の移送を容易にする装置。
【請求項２７】
更に、前記定量化部材と前記カバーとの間に介挿されたスペーサを含む請求項２５に記載された流体の移送を容易にする装置。
【請求項２８】
前記端ぐり部が、平坦な底面と曲線状の底面のうちの少なくとも一方を有する請求項３に記載された流体の移送を容易にする装置。
【請求項２９】
前記流体移送チューブの端面が基体の第２表面と事実上同一平面になるように、流体移送チューブが基体に受容される請求項１または請求項２に記載された流体の移送を容易にする装置。
【請求項３０】
流体移送を促進する少なくとも一つの特徴が、また前記チューブ端面にも形成されている請求項２９に記載された流体の移送を容易にする装置。
【請求項３１】
更に、前記流体移送チューブに少なくとも一つの流体移送促進溝を含む請求項１または請求項２に記載された流体の移送を容易にする装置。
【請求項３２】
前記基体が、概ね円筒形のハブを含む請求項１または請求項２に記載された流体の移送を容易にする装置。
【請求項３３】
更に、前記ハブに取り付けられた作動部材を含む請求項３２に記載された流体の移送を容易にする装置。
【請求項３４】
請求項１または請求項２に記載された流体の移送を容易にする装置を含む統合型検体検出装置。
【請求項３５】
前記統合型検体検出装置が、着用式または手持ち式に構成されている請求項３４に記載された統合型検体検出装置。
【請求項３６】
前記統合型検体検出装置が、少なくとも一回の血中グルコース濃度測定を行うように構成されている請求項３５に記載された統合型検体検出装置。
【請求項３７】
前記統合型検体検出装置が、複数回の血中グルコース濃度測定を行うように構成されている請求項３６に記載された統合型検体検出装置。
【請求項３８】
前記統合型検体検出装置が、使い捨てカートリッジを含む請求項３６に記載された統合型検体検出装置。